Podtech/llm-jp-corpus-v4-ja_patent huggingface dataset:
(57)【要約】【課題】  ドラム缶の輸送時に傷が付くのを袋かけて防止していたが  顧客からの要望が強くなり袋掛けの数が多数となり重労働の毎日が続くようになった。このため袋がけより軽作業で装着でき  袋より耐久性のある保護具が必要になった。【解決手段】  ドラム缶の傷防止には袋を掛けてドラム缶同士が直接触れ合わないように  袋の素材を挟み込んで傷になるのを防いでいたが  ドラム缶上部のチャイムに保護具を装着しドラム缶とドラム缶との間に空間を確保して傷が付くのを防ぐように考案した。素材をゴム製にする事により袋より耐久性が大幅に向上する為  廃棄物の減少も可能となる。【選択図】図１
2013079105.tif 000002
【特許請求の範囲】
【請求項１】
ドラム缶のチャイムに装着してドラム缶の塗装を保護するリング状のゴム。
【請求項２】
隣り合うドラム缶の上部チャイムの間でドラム缶同士の空間を確保する部分と的確な位置に装着出来るように案内する部分から構成されている。
【発明の詳細な説明】
【技術分野】
【００１】  本発明は  ２００Ｌドラム缶に使用するものです。ドラム缶天板側チャイムに被せて隣り合うドラム缶同士直接触れ合わないよう空間を確保して輸送時に塗装に傷が付かないようにする保護具です。
【背景技術】
【００２】  従来からドラム缶の輸送の際  塗装保護には隣り合うドラム缶同士が触れ合い傷が付くのを防ぐため  ドラム缶全体に袋を掛けて防いでいた。
【発明の開示】
【発明が解決しようとする課題】
【００３】  顧客からの塗装への傷  へこみ等品質に対する要望が強くなり、袋がけドラム缶の数が極端に増えた。このためにトラックへの荷積み  客先での荷降ろしでの作業の生産性が極度に下がり  作業自体が重労働になった。袋も一重の軽いものから二枚重ねになり重量も二倍になりかさばり  荷積み前の準備する数  何台ものトラックの荷積みの際の袋がけ等  近年の暑い夏には  とても過酷な労働条件になっている。又  袋の品質が運搬するドラム缶の品質に直結するため破れ  汚れで廃棄する数も多い。袋の原材料は石油及び関連製品のため環境に配慮したエコロジーの面からも袋がけに変わる耐久性のある保護具  軽作業で装着できる保護具が必要になった。
【課題を解決する為の手段】
【００４】  この課題を解決するには  高さ約９０ｃｍ直径約６０ｃｍｎのドラム缶全体を袋で覆いドラム缶とドラム缶の間に袋の素材を挟み込み直接ドラム缶同士が擦れ合わない方法からドラム缶とドラム缶の間に空間を作り出し隣り合うドラム缶同士が触れ合わない状態を確保する保護具として塗装保護ゴムベルトを使用する。
【発明の効果】
【００５】  塗装保護ゴムベルトはコンベアーで上向きで運ばれてくるドラム缶上部チャイムに装着するため作業量も少なく耐久性もある。塗装保護ゴムベルトは装着してもドラム缶の種類が判るため出荷に先だって装着して倉庫に置ける。袋がけしたドラム缶は積み込みの際の現物確認が袋の裾を持ち上げて塗装の色以外は判断材料がなく類似したドラム缶をコンベアーに数種類乗せることが出来ないが  塗装保護ゴムベルト装着のドラム缶は個々の判別もドラム缶全体を見ながら判断でき２台以上同時に積み込み作業が出来る為  生産性が向上する。又塗装保護ゴムベルトを装着して出庫すれば、コンベアー上のトラブルも防げる。
【発明を実施するための最良の形態】
【００６】  図１は  ドラム缶上部チャイムに塗装保護ゴムベルトを装着したドラム缶と未装着のドラム缶が並んだ図です。同図に示すようにドラム缶同士が一定の空間を保ち傷がつかない状態となっている。【００７】  図２は  図１の円内  並んでいる左側ドラム缶に塗装保護ゴムベルトが装着右側は未装着で拡大した図です。塗装保護ゴムベルトは断面図です。塗装保護ゴムベルトは交互に装着し  トラック全体でもドラム缶同士が一定の空間を保ち傷がつかない状態で積み込める。【００８】  塗装保護ゴムベルトは必ずしも一体成型で精密に作る必要はなく一般に出回っているゴム製品を二種類  貼り合わせて作っても傷防止の効果は変わらない。図３  図４は  二種類の材料を貼り合わせて作った塗装保護ゴムベルトの断面図です。図３はドラム缶同士が接触しないように空間を作る部分を  平帯びのゴムチャイムに沿って正確な位置に導く部分を角ゴムに使い  貼り合わせて作った塗装保護ゴムベルトの断面図です。図４は  チャイムに沿って正確な位置に導く部分に  ５０Ｌ  １００Ｌ等の小型オープンドラム缶のパッキンを使った塗装保護ゴムベルトの断面図です。
【図面の簡単な説明】
【００９】
【図１】塗装保護ゴムベルト装着ドラム缶と未装着ドラム缶交互に並んだ説明図です。
【図２】図１の円内  塗装保護ゴムベルト装着ドラム缶と未装着ドラム缶の接触部  塗装保護ゴムベルトは断面図です。
【図３】二種類の材料を貼り合わせて作った塗装保護ゴムベルトの断面図です。
【図４】二種類の材料を貼り合わせて作った塗装保護ゴムベルトの断面図です。
【符号の説明】
【０１０】  １    塗装保護ゴムベルト
２    チャイム
３    ビート
【図１】
2013079105.tif 000003
【図２】
2013079105.tif 000004
【図３】
2013079105.tif 000005
【図４】
2013079105.tif 000006
(57)【要約】【課題】電池切れの問題のないペットや野生動物の位置情報発信装置を提供することを目的とする。【解決手段】熱電モジュール２と発信機３から成る位置情報発信装置１が、ペットや野生動物に装着する首輪１０に組込まれ、熱電モジュール２がペットや野生動物の体からの熱エネルギーを受け受熱面２ｂと、外気接する露出面２ｃとの間に温度差により発電をして、発信機３が電波を発信し続けるため、電池を必要とせず、長期間にわたってペットや野生動物の現在位置を知ることができ、迷子のペットの捜索や野生動物の生態調査等に役立てることができる。【選択図】図１
2013030911.tif 000002
【特許請求の範囲】
【請求項１】
熱エネルギーを受ける受熱面と外部に露出した露出面との間に配設されて受熱面と露出面との温度差により発電する熱電素子を有する熱電モジュールと、信号を発する発信機と、を備える位置情報発信装置であって、
前記位置情報発信装置は、ペットや野生動物に装着する首輪に組込まれ、
前記熱電モジュールの受熱面が首輪の内側に露出し、露出面が首輪の外側に露出するように固定され、
前記発信機が前記熱電モジュールと接続され、熱電モジュールにより発電された電力により電波を発することを特徴とする位置情報発信装置。
【発明の詳細な説明】
【技術分野】
【０００１】
本発明は、ペットや野生動物に装着させ、位置情報を確認することができる装置に関するものである。
【背景技術】
【０００２】
ペットの所在の確認する装置に関するものが、例えば特許文献１に記載されている。特許文献１の装置は、微弱電波を発信する発信機と、この発信機からの電波を受信する受信機からなり、一方をペットの首輪に着脱自在に取付け、他方を飼い主が所持して、発信機からの電波の受信状態に応じて受信機の報知手段が作動して、ペットの所在を確認することができる。
【先行技術文献】
【特許文献】
【０００３】
【特許文献１】特開２０００−１２４８１７号公報
【発明の概要】
【発明が解決しようとする課題】
【０００４】
しかしながら、上記装置は電池を電力源としているため、電池切れにより発信機の電波が発信されずペットの所在が確認できなくなることが考えられる。
【０００５】
本発明は上述した課題を解決するためになされたものであり、電池切れの問題を解消したペットや野生動物の位置情報発信装置を提供することを目的とする。
【課題を解決するための手段】
【０００６】
上記目的を解決するために、請求項１に記載の位置情報発信装置は、熱エネルギーを受ける受熱面と外部に露出した露出面との間に配設されて受熱面と露出面との温度差により発電する熱電素子を有する熱電モジュールと、信号を発する発信機と、を備える位置情報発信装置であって、位置情報発信装置は、ペットや野生動物に装着する首輪に組込まれ、熱電モジュールの受熱面が首輪の内側に露出し、露出面が首輪の外側に露出するように固定され、発信機が熱電モジュールと接続され、熱電モジュールにより発電された電力により電波を発することを技術的特徴とする。
【発明の効果】
【０００７】
請求項１の発明は、熱電モジュールと発信機から成る位置情報発信装置が、ペットや野生動物に装着する首輪に組込まれることで、ペットや野生動物の体からの熱エネルギーの伝達がある限り発電をして電波を発信し続けるため、電池を必要とせず、長期間にわたってペットや野生動物の位置情報を確認することができる。
【図面の簡単な説明】
【０００８】
【図１】位置情報発信装置を首輪に組込んだ状態を示す図である。
【図２】熱電素子と発信機との接続を示す図である。
【発明を実施するための最良の形態】
【０００９】
以下に、本発明の実施形態について図面を用いて説明する。本発明に係る位置情報発信装置１は、図１に示すように、熱電モジュール２と、発信機３とを備え、首輪１０内に組込まれる。
【００１０】
熱電モジュール２は、図２に示すように、熱電素子２ａと、首輪１０の内側に固定される受熱面２ｂと、首輪１０の外側に露出するように固定される露出面２ｃとで構成され、熱電素子２ａが受熱面２ｂと露出面２ｃの間に配設されている。受熱面２ｂが、首輪１０の内側に固定されることで、ペットや野生動物の体からの熱エネルギーを受け、露出面２ｃが首輪の外側に露出するように固定されることで、外気と接するため、受熱面２ｂと露出面２ｃとの間に温度差が生じて熱電素子２ａにより発電が行われるようになっている。
【００１１】
発信機３は、昇圧蓄電回路４と、GPSモジュール５と、発振回路６とで構成され、熱電モジュール２と接続される。昇圧蓄電回路４が熱電モジュール２で発電された電力を昇圧し、GPSモジュール５が昇圧された電力で作動して現在の位置情報得る。その位置情報を発信回路６により電波として発信されるようになっている。
【００１２】
このような位置情報発信装置１を組込んだ首輪１０をペットや野生動物に装着することで、ペットや動物の体からの熱エネルギーの伝達がある限り、熱電モジュール２が発電をし続け、発信機３が電波を発信し続けるようになる。発信された電波は受信機を用いて受信することで、ペットや野生動物の現在位置を知ることができ、迷子のペットの捜索や野生動物の生態調査等に役立てることができる。
【００１３】
以上のように、熱電モジュール２と発信機３から成る位置情報発信装置１は、ペットや野生動物に装着する首輪１０に組込まれることで、ペットや野生動物の体からの熱エネルギーの伝達がある限り発電をして電波を発信し続けるため、電池を必要とせず、長期間にわたってペットや野生動物の位置情報を確認することができる。
【符号の説明】
【００１４】
１  位置情報発信装置
２  熱電モジュール
３  発信機
１０  首輪
【図１】
2013030911.tif 000003
【図２】
2013030911.tif 000004
(57)【要約】【課題】電波遮蔽検査室の室内圧力が上昇した場合にも室内作業者を簡易に外に避難させることができる。【解決手段】電波遮蔽検査室の電波遮蔽壁Ｍに設けた開口部１と、開口部１に電波遮蔽検査室の内側に開閉するように設けられると共に、開口部１に電波シールドブロック５を介して密接される開閉扉２と、開閉扉２に人の出入りが可能な大きさに開口した小開口部３と、小開口部３に電波遮蔽検査室の外側に開閉するように設けられると共に、小開口部３に電波シールドブロック５を介して密接される小開閉扉４とを備えた。【選択図】図１
2013030635.tif 000002
【特許請求の範囲】
【請求項１】
電波遮蔽検査室の電波遮蔽壁に設けた開口部と、
前記開口部に前記電波遮蔽検査室の内側に開閉するように設けられると共に、前記開口部に電波シールドブロックを介して密接される開閉扉と、
前記開閉扉に人の出入りが可能な大きさに開口した小開口部と、
前記小開口部に前記電波遮蔽検査室の外側に開閉するように設けられると共に、前記小開口部に電波シールドブロックを介して密接される小開閉扉とを備えたことを特徴とする電波遮蔽検査室の扉構造。
【請求項２】
前記小開閉扉は、前記電波遮蔽検査室の室内側に開閉用のハンドルを備えたことを特徴とする電波遮蔽検査室の扉構造。
【発明の詳細な説明】
【技術分野】
【０００１】
本発明は、ＭＲＩ検査室や所謂電波シールドルームなどの電波遮蔽検査室における扉構造に関するものである。
【背景技術】
【０００２】
下記特許文献１には、電波シールドルームに、子扉付シールド扉を介して電波シールド空間を設けることが記載されている。この電波シールド空間は、電波遮蔽材を内側に有する壁面を備えており、この壁面に、子扉付シールド扉が設けられている。この従来技術によると、大扉のシールド部材と、子扉のシールド部材を対向しないように配置することで、人が電波シールドルームに出入りする際にも高いシールド性能が得られるようにしている。この際、大扉は電波シールドルームの内側に開く構造になっており、子扉は電波シールド空間の外側に開く構造になっている。
【先行技術文献】
【特許文献】
【０００３】
【特許文献１】特開平６−１７７５７６号公報（図１）
【発明の概要】
【発明が解決しようとする課題】
【０００４】
前述した従来技術で示すように、電波遮蔽検査室などの電波シールドルームの扉は、室内側に開閉する構造になっている。このため、室内でＭＲＩなどに使用されているガス（Ｈｅガス）の圧力が上昇した場合には、この圧力が扉を壁面に押しつけることになるので、扉が開き難くなる。したがって、室内の圧力が高くなるような事態が生じた場合には、中で作業する人が扉を開けて外に避難しにくくなる問題が生じる。
【０００５】
本発明は、このような問題に対処することを課題の一例とするものである。すなわち、室内の圧力が高くなる可能性のある電波遮蔽検査室の扉構造において、室内の圧力が高くなった場合であっても、室内で作業する人が簡易に外に避難することができることが本発明の目的である。
【課題を解決するための手段】
【０００６】
このような目的を達成するために、本発明による電波遮蔽検査室の扉構造は、以下の構成を少なくとも具備するものである。
電波遮蔽検査室の電波遮蔽壁に設けた開口部と、前記開口部に前記電波遮蔽検査室の内側に開閉するように設けられると共に、前記開口部に電波シールドブロックを介して密接される開閉扉と、前記開閉扉に人の出入りが可能な大きさに開口した小開口部と、前記小開口部に前記電波遮蔽検査室の外側に開閉するように設けられると共に、前記小開口部に電波シールドブロックを介して密接される小開閉扉とを備えたことを特徴とする。
【発明の効果】
【０００７】
このような電波遮蔽検査室の扉構造によると、電波遮蔽検査室内の電波遮蔽効果を維持しながら、室内の圧力が上昇した場合であっても、室内の作業者は小開閉扉を外側に開けて小開口部から簡易に外に避難することができる。
【図面の簡単な説明】
【０００８】
【図１】本発明の一実施形態に係る電波遮蔽検査室の扉構造を示した正面図（室内側からみた正面図）
【図２】本発明の一実施形態に係る電波遮蔽検査室の扉構造を示した横断面図
【図３】本発明の一実施形態に係る電波遮蔽検査室の扉構造を示した縦断面図
【発明を実施するための形態】
【０００９】
以下、図面を参照しながら本発明の実施形態を説明する。図１は本発明の一実施形態に係る電波遮蔽検査室の扉構造を示した正面図（室内側からみた正面図）、図２は図１の横断面図、図３は図１の縦断面図をそれぞれ示している。
【００１０】
本発明の実施形態に係る電波遮蔽室の扉構造は、電波遮蔽検査室の電波遮蔽壁Ｍに設けた開口部１と、開口部１に電波遮蔽検査室の内側に開閉するように設けられると共に、開口部１に電波シールドブロック５を介して密接される開閉扉２と、開閉扉２に人の出入りが可能な大きさに開口した小開口部３と、小開口部３に電波遮蔽検査室の外側に開閉するように設けられると共に、小開口部３に電波シールドブロック５を介して密接される小開閉扉４とを備えている。
【００１１】
図示の例では、電波遮蔽検査室（以下、検査室という）の外側に前室が配置されており、電波遮蔽部材Ｍａが内蔵された壁Ｍに形成された開口部１は、検査室と前室との通路を形成している。開口部１に開閉扉２が蝶番２Ａによって開閉自在に装着されている。開閉扉２は検査室側に開く構造になっており、開閉扉２の検査室側及び前室側の両面には、グレモンハンドル２Ｂが装備されている。また、開口部１は、ステンレス製のアングル部材によって囲まれており、そのアングル部材１Ａが開閉扉２と当接する周囲に電波シールドブロック５が配備されている。電波シールドブロック５は、例えば、柔軟性のあるプラスチック発泡体の内部に金属網材を保持した構造を有している。
【００１２】
そして、開閉扉２に小開口部３を設けている。小開口部３は人が出入りすることが可能な大きさで有り、例えば幅６００ｍｍ×高さ１２００ｍｍ程度の大きさになっている。小開口部３には小開閉扉４が蝶番４Ａによって開閉自在に装着されている。小開閉扉４は検査室の外側（前室側）に開く構造になっており、小開閉扉４の室内側の面には、グレモンハンドル４Ｂ（開閉用のハンドル）が装備されている。
【００１３】
このような電波遮蔽検査室の扉構造によると、検査室と前室との通路は、比較的大きい開閉扉２を開放することによって確保することができ、機材の出し入れ等はこの開閉扉２を開放することで行うことができる。一方、検査室内での作業中に検査室内の圧力が上昇することで開閉扉２の開放が困難になった場合には、検査室内の作業者は、小開閉扉４を外側に開けることで脱出の通路を確保することができる。これによって、電波遮蔽検査室内における作業者の安全を確保することができる。また、開閉扉２と小開閉扉４はいずれも閉時に電波シールドブロック５によって密閉されているので、検査室内の電波遮蔽機能は高いレベルで維持することができる。
【符号の説明】
【００１４】
１：開口部，２：開閉扉，３：小開口部，４：小開閉扉，
５：電波シールドブロック，Ｍ：壁
【図１】
2013030635.tif 000003
【図２】
2013030635.tif 000004
【図３】
2013030635.tif 000005
(57)【要約】【課題】車内部でフラットな床部材でその下に収納空間を得るために高床式構造であり、走行時の座席確保のため取り外しができ、重ねて収納ができる構造をもつ高床式床構造のインテリアキットに関するものである。【解決手段】車両の床面をフラットな高床式構造に設置し、床面一部を取り外し重ねて収納する事により走行移動には座席確保ができる【選択図】図１
2013018466.tif 000002
【特許請求の範囲】
【請求項１】
車内底壁に置かれるフラットな床部材でその下に収納空間を得るために高床式構造とした高床式床構造のインテリアキット。
【請求項２】
前記床部材で走行時の座席の確保のため取り外し、重ねて収納できる構造を持つ高床式床構造のインテリアキット。
【発明の詳細な説明】
【技術分野】
【０００１】本発明は車内部でフラットな床部材でその下に収納空間を得るために高床式床構造であり、走行時の座席確保のため取り外しができ、重ねて収納ができる構造をもつ高床式床構造のインテリアキットに関するものである。
【背景技術】
【０００２】従来の車は快適な車中泊環境としてフラットな床空間が得られない。【０００３】さらに、快適な屋外生活を過ごすために必要なものとして炊事道具、食器、照明器具と多岐に渡り車内にその収納スペースを確保するのに苦心する。【０００４】しかし走行移動時には座席確保の為に一部床を取りはずさなければならない。
【発明の概要】
【発明が解決しようとする課題】
【０００４】本考案は、従来のかかる実情に鑑みてなされたもので、車内において床面のフラット化、高床式であるので収納性が高く、尚且つ床部材で走行時の座席確保の為取り外し、重ねて収納ができる構造をもった高床式床構造のインテリアキットを提供するものである。
【課題を解決するための手段】
【０００５】上記目的を達成する為、本考案は、車内の床面をフラットな高床式床構造に設置する。【０００６】床面一部を取り外し重ねて収納する事により走行移動には座席確保ができる。【０００７】この課題を解決する為軽く堅牢なアルミ製高床式床構造物を考案した。
【発明の効果】
【０００８】本発明により快適な車中泊環境としてフラットな床空間を得る事が良質な睡眠ができ、高床式なので収納空間ができ、尚且つ移動走行時に座席確保ができる。
【図面の簡単な説明】
【０００９】
【図１】床、車内設置全体図１
【図２】床、車内設置全体図２
【図３】床全体図１
【図４】床全体図２
【発明を実施するための形態】
【００１０】以下、本発明の実施の形態を図１〜４に基づいて説明する。
【実施例】
【００１１】図１の部品構成は以下の通りとなります。
１リアシートを倒し、その上に３床部材１設置し、４，５床部材２，３を２車内床に設置する。【００１２】図２の部品構成は以下の通りとなります。
５床部材３の上に４床部材２を設置し、さらにその上に３床部材１を設置しリアシートを起こす。
【産業上の利用可能性】
【００１３】車内高床式床を容易に脱着でき、初期投資金額が少ない商品を供給できる。
【符号の説明】
【００１４】１    リアシート
２    車内床
３    床部材１
４    床部材２
５    床部材３
【図１】
2013018466.tif 000003
【図２】
2013018466.tif 000004
【図３】
2013018466.tif 000005
【図４】
2013018466.tif 000006
(57)【要約】      （修正有）【課題】地震、津波、台風、洪水、火災、山津波、雷、竜巻、等で行き場の無い不安を感じた時等及び１分１秒を争う場合の緊急避難場所としての安心を提供する物であり、およそ３昼夜以上の避難場所として、長期避難も可能で、災害回避後救助されるまでの数日間においても生活可能なものとする。【解決手段】概ね軽自動車ないし大型バス程度の仕様で、水上推進装置としてウオーター・ジェット６、７を有し装甲性、耐震性、水密性、気密性、断熱性、耐火性の性能を有する災害用緊急避難カプセルとする。【選択図】図１
2013018469.tif 000002
【特許請求の範囲】
【請求項１】
災害から生命身体を守る強固な水陸両用の災害用緊急避難カプセルとする。
【請求項２】
災害時以外は公道を走る乗物には供さない。
【請求項３】
乗り込んだ者等が生還出来るまでのプロセスに必要な設備、備品等を有する。
【請求項４】
外殻は鋼製にて装甲性能を有する。
【請求項５】
開口部は水密性にてカプセル本体は水に浮く。
【請求項６】
エンジン、タイヤ又はキャタピラー、ウオータージェットを有し自走性である。
【請求項７】
概ね現在の軽自動車ないし大型バス程度の設備仕様を有する。
【請求項８】
外装及び内装は断熱性、耐火性、耐衝撃性の有るシート被覆とする。
【発明の詳細な説明】
【技術分野】
【０００１】本発明は災害用緊急避難カプセルに関する。
【背景技術】
【０００２】現在出願されているものでは東日本大震災においては実用性に欠しいので実際に普及出来る実用的な物とする。
【発明の開示】
【発明が解決しようとする課題】
【０００３】東日本大震災にかんがみ、この様なハードな緊急大災害にも耐え生還出来る乗物とする。またできれば地震速報を見たり聴いたりした後、地震が来るまでの数秒間において避難できる構造とする。また生還した後救助が来るまでの使用にも耐えるものとする。
【課題を解決するための手段】
【０００４】図１ないし図５の通り。
【発明の効果】
【０００５】人類の存続に寄与する。
【発明を実施するための最良の形態】
【０００６】なるべく早く、秒単位で乗り込める構造とする。また自走できない場合でもクレーン等で移動が簡単である。
【実施例】
【０００７】図４は１階から使用する形態の概念図である。図５は２階から使用する形態の概念図である。
【図面の簡単な説明】
【０００８】
【図１】  タイヤを用いた災害用緊急避難カプセルの外観図である。
【図２】  キャタピラーを用いた災害用緊急避難カプセルの外観図である。
【図３】  災害用緊急避難カプセルの平面図及び住居との取り合い図である。
【図４】  災害用緊急避難カプセルの断面図及び住居１階との取り合い図である。
【図５】  災害用緊急避難カプセルの断面図及び住居２階との取り合い図である。
【符号の説明】
【０００９】      １  自走式水陸両用装甲車体
２  パンクレスラジアルタイヤ
３  キャタピラー
４  耐水密性ドア
５  対衝撃性ハメ殺し透明窓
６  ウオータージェット  前進用
７  ウオータージェット  バック用
８  換気、採光、脱出用透明サンルーフ
９  救助吊り上げ用フック掛け
１０  救助曳航用フック掛け
１１  ヘッドライト
１２  救助灯
１３  タラップ
１４  シートベルト付き座席
１５  燃料タンク
１６  水面用可動式水平バランス重り
１７  住居１階
１８  住居２階
１９  取り合い蛇腹式通路
２０  蛇腹取り付け調整用ジャツキ
２１  架台
２２  １階駐車場
【図１】
2013018469.tif 000003
【図２】
2013018469.tif 000004
【図３】
2013018469.tif 000005
【図４】
2013018469.tif 000006
【図５】
2013018469.tif 000007
(57)【要約】      （修正有）【課題】オートマチック車による、ブレーキとアクセルの踏み間違いの事故を防ぎ、回避する為の装置である。【解決手段】アクセルを深く強く踏み込むと、スターターと連動している点火プラグに流れている電気をストップさせる事で、エンジンが停止し車が暴走急発進、急加速できないようにする。これが今出回っている、オートマチック車にも、後からでも装着でき、今後オートマチック車の事故は皆無となるのである。地球に人に優しい貢献出来る発明である。【選択図】図１
2013018468.tif 000002
【特許請求の範囲】
【請求項１】
アクセルの踏み込みを感知（センサー）させる装置である。
【請求項２】
アクセルの踏みすぎによる急発進、急加速防止。ストッパーが掛かり電流を遮断させる装置である。
【発明の詳細な説明】
【技術分野】
【０００１】  急発進、急加速が出来なくする為に、アクセルを踏み込むと車が停止するようにした技術である。
【背景技術】
【０００２】  ブレーキの踏み間違い事故が後を絶たない。そこで急発進や急加速が出来ないようにアクセルを制御し、ブレーキと踏み間違っても発進出来ないようにした。また、衝突防止装置である。
【発明の開示】
【発明が解決しようとする課題】
【０００３】  毎回のようにブレーキの踏み間違いでの事故が、テレビなどで報じられている。車はオートマチック車が主である。ブレーキとアクセルを間違って、アクセルを深く踏み込むと従来車は急発進、急加速していましたが、この発明したアクセルは深く踏み込むと車が動かなくなるようにした物である。
【課題を解決するための手段】
【０００４】  アクセルをブレーキと間違い、踏む事で急発進、急加速する。そこでアクセルをブレーキと間違って深く踏み込む事から、エンジンに多量の混合ガスが送り込まれる事で急発進、急加速するのであり、アクセルを深く踏み込んでも、車が止まるようにしたものである。
【発明の効果】
【０００５】  車の事故、人身事故がこの装置により、踏み間違いの事故は皆無になるのである。
【発明を実施するための最良の形態】
【０００６】  ブレーキとアクセルの踏み間違い事故は、オートマチック車である。普通に走行している時は徐々に加速する事で、なんら問題ないよう設定し急発進、急加速出来ないよう電子制御するのである。
【実施例】
【０００７】  アクセルとブレーキを踏み間違えても、最も安全に客（ユーザー）が運転出来るように車を改善するべきであり実施は必然である。
【産業上の利用可能性】
【０００８】  元来車は最も便利で、安全を最優先させるべき乗り物である。アクセルを急に踏み込むとか、強く踏み込んだら不測の事態が起きた事を感知させるセンサーが必要不可欠な装置である。オートマチック車には車産業上利用可能である。
【図面の簡単な説明】
【０００９】
【図１】  Ａワイヤ式スロットル  Ｂ電子制御スロットル  Ｃ始動装置
【符号の説明】  （ア）アクセルワイヤー
（イ）アクセルポジシーンセンサー
（ウ）コンピューターコントロールシステム（ＥＣＣＳ  Ｃ／Ｕ）
（エ）アクセルペダル
（オ）アクセルドラム          （サ）クランク
（カ）スロットルモーター      （シ）リングギア
（キ）バイパス                （ス）バッテリー
（ク）アイドル制御弁          （セ）スターター
（ケ）スロットルバルブ        （ソ）イグニッションスイッチ
（コ）スロットルセンサー      （タ）開閉センサー
【図１】
2013018468.tif 000003
(57)【要約】      （修正有）【課題】ティッシュ箱を柱等に固定する際に、簡単に収納、取り出しができる、ティッシュボックスホルダーを提供する。【解決手段】裏面に面ファスナーを貼り付けたティッシュボックスホルダー１であり、ティッシュ箱３をスライドさせてティッシュ箱３の両側面下部とティッシュボックスホルダー１のティッシュ箱引っ掛け部を密着固定する事を特徴とする。【選択図】図４
2013018544.tif 000002
【特許請求の範囲】
【請求項１】
ティッシュボックスホルダー（１）の裏面に面ファスナー（２）を貼付け、ティッシュ箱（３）の両側面下部を密着固定できるティッシュ箱引っ掛け部（７）を設けたティッシュボックスホルダー。
【発明の詳細な説明】
【技術分野】
【０００１】  この発明は、柱、壁など係合できる場所に、ティッシュボックスホルダーを係合するもので、ティッシュボックスホルダーの裏面に面ファスナーを貼り付け、ティッシュ箱の両側面と密着固定できるティッシュボックスホルダーに関するものである。
【背景技術】
【０００２】  従来、ティッシュ箱を直接固定せず、ケースの中に収納し、テーブル、机等に直接置いていた。また、紐付きティッシュケースにティッシュ箱を収納しフック等に吊るしたり、冷蔵庫の側面を利用して磁石で固定していた。
【発明の概要】
【発明が解決しようとする課題】
【０００３】  これは、次のような欠点があった。
（イ）ティッシュ箱を固定していない場合に探す不便な事がある。
（ロ）ティッシュ箱を床等に置いた場合にペットによって、テッシュペーパーが散乱してしまう。
（ハ）紐付きティッシュケースの場合、フックなどの留め後が付いてしまう。
（ニ）磁石付きティッシュケースの場合、設置場所が鉄質以外では取付けできない。
【課題を解決するための手段】
【０００４】  ティッシュボックスホルダー（１）の裏面に面ファスナー（２）を貼り付け、ティッシュ箱引っ掛け部（７）の部分でティッシュ箱の両側面を引っ掛け密着固定する事ができる。
本発明は、以上の構成よりなるティッシュボックスホルダーである。
【発明の効果】
【０００５】（イ）ティッシュボックスホルダー（１）にティッシュ箱（３）をスライドさせ簡単に収納、固定する事ができる。
（ロ）ティッシュボックスホルダー（１）にティッシュ箱（３）を収納する際、ティッシュ箱出し入れ部（５）で幅が広くなっているので、収納し易くなっている。
（ハ）面ファスナー（２）の設置できる所であれば、縦、横、逆さに取り付ける事ができる。
（ニ）ティッシュボックスホルダー（１）を逆さに係合させ使用すると、ティッシュペーパー（４）は最後の一枚までスムーズに取り出す事ができる。
（ホ）ティッシュ箱（３）をティッシュボックスホルダー（１）で固定しているので探す事が無くなる。
【図面の簡単な説明】
【０００６】
【図１】  本発明の斜視図である。
【図２】  本発明の裏面斜視図である。
【図３】  本発明のティッシュ箱装着斜視図である。
【図４】  本発明のティッシュ箱装着逆さ斜視図である。
【発明を実施するための形態】
【０００７】  以下、本発明を実施するための形態について説明する。
（イ）樹脂系のティッシュボックスホルダー（１）は長方形の形状で、長手方向にはほぼ直角となった側壁を設ける。更に側壁先端にはティッシュ箱引っ掛け部（７）を設ける。引っ掛け部は平面形成しており、側壁と引っ掛け部がなす角は鋭角である。
ティッシュ箱（３）の両側面下部を引っ掛け密着固定できる長さになっている。また、短手方向の側面ティッシュ箱固定部（６）は片側にのみ直角に曲げ形成し、落下を防止する。
（ロ）ティッシュボックスホルダー（１）を柱、壁等に取り付けるためにティッシュボックスホルダー（１）の裏面に面ファスナー（２）を貼り付ける。
（ハ）ティッシュボックスホルダー（１）にティッシュ箱（３）を収納するにはティッシュ箱出し入れ部（５）の方向からスライドさせ、ティッシュ箱固定部（６）まで挿入させる。
本発明は、以上のような構造である。
【０００８】  これを使用するときは、
ティッシュボックスホルダー（１）にティッシュ箱（３）を収納する場合は、ティッシュ箱出し入れ部（５）の方向から入れる。
ティッシュボックスホルダー（１）からティッシュ箱（３）を取り出す場合は、ティッシュ箱出し入れ部（５）の方向から引き出す。
【符号の説明】
【０００９】  １  ティッシュボックスホルダー
２  面ファスナー
３  ティッシュ箱
４  ティッシュペーパー
５  ティッシュ箱出し入れ部
６  ティッシュ箱固定部
７  ティッシュ箱引っ掛け部
８  ティッシュ箱密着部
【図１】
2013018544.tif 000003
【図２】
2013018544.tif 000004
【図３】
2013018544.tif 000005
【図４】
2013018544.tif 000006
(57)【要約】【課題】ドライバは固着状態にあるネジを緩めるために大きな回転トルクを発生させる大きいハンドル部が必要なため形状が大きくなっていた。他にオフセット型のドライバもあるがハンドル部が長いために狭い個所では操作できないことや重い欠点がある。【解決手段】ドライバビットの軸部６の両先端部（１と２）が十字形、一字形、又は多角形のいずれかの形状を持ち、中央のヒンジ部３の軸端の凹部と凸部を緩嵌合させ、凹部と凸部を貫通するスピンドル４を中心に２つの軸部６が軸方向と直角方向に折り曲がるようにヒンジ部３を設ける。【選択図】図１
2013128990.tif 000002
【特許請求の範囲】
【請求項１】
軸部の両先端部が十字形、一字形、又は多角形のいずれかの形状を持ち、中央に軸方向と直角方向に回転可能なヒンジ部を形成したことを特徴とするドライバビット。
【請求項２】
前記ヒンジ部のスピンドルがネジで形成したことを特徴とする請求項１に記載のドライバビット。
【発明の詳細な説明】
【技術分野】
【０００１】
本発明は、折り曲げ可能なドライバビットに関するものである。
【背景技術】
【０００２】
一般的に市販されているドライバは、十字形または一字形の形状を持つ先端部とハンドル部で構成されている形状の大きいものがある。他の形状として、特開２００１−９７４５号公報や登録実用新案第３１４５０７８号公報の形状を持つドライバも存在したが、いずれも形状が曲がっていたり、ハンドル部が長いことや厚みが大きく重いなどの理由で携行には不向きであった。
【先行技術文献】
【特許文献】
【０００３】
【特許文献１】特開２００１−９７４５号公報
【特許文献２】登録実用新案第３１４５０７８号公報
【発明の概要】
【発明が解決しようとする課題】
【０００４】
解決しようとする問題点は、ドライバが固着状態にあるネジを緩めるために大きな回転トルクを発生する大きいハンドル部を必要とし、形状が大きくなっていた。
【課題を解決するための手段】
【０００５】
本発明は、金属軸部の両先端部が十字形、一字形、又は多角形のいずれかの形状を持ち、中央部に軸方向と直角方向に回転可能なヒンジ部を形成する。
【発明の効果】
【０００６】
本発明のドライバビットは、ハンドル部がなく２個の金属部材だけで構成しているため、非常にコンパクトな形状で、中央のヒンジ部をＬ字方に折り曲げると回転半径が大きくなり、大きな回転モーメントを発生させることで固着状態にあるネジでも容易に緩めることができる。また、ネジが小さな力で締緩できるときは、ドライバビットを直線形状にし、指先で軸を回転させれば短時間にネジを取り外すこともできる。
【０００７】
また、形状が小型で直線形状で軽量であるため常時携行も可能であることや、２個の金属軸部材をヒンジで結合した単純な形状のためコスト面においても非常に有利であることなど、従来のドライバにはなかった多くのメリットがある。
【図面の簡単な説明】
【０００８】
【図１】図１はドライバビットをヒンジ部でＬ字に折り曲げた形状の平面図である。（実施例１）
【図２】図２はドライバビットの軸部が直線形状の平面図である。
【図３】図３はドライバビットの軸部が直線形状の正面図である。
【図４】図４はドライバビットの軸部が直線形状のＡ−Ａ断面図である。
【図５】図５はドライバビットの軸部が直線形状の左側面図である。
【図６】図６はドライバビットの軸部が直線形状の右側面図である。
【図７】図７はドライバビットの軸部が直線形状のスピンドルがネジ形状の平面図である。（実施例２）
【図８】図８はドライバビットの軸部が直線形状のスピンドルがネジ形状のＢ−Ｂ断面図である。
【発明を実施するための形態】
【０００９】
本発明のドライバビットは、固着状態にあるネジを大きな回転モーメントで緩めることができるドライバを２個の金属部品で構成し、両先端部の形状を２種類の異なった種類のネジの締緩ができる形状とする。
【実施例１】
【００１０】
図１の実施例は、ドライバビットの軸部６の両先端部（１と２）が十字形、一字形、又は多角形のいずれかの形状を持ち、中央のヒンジ部３の軸端の凹部と凸部を緩嵌合させ、凹部と凸部を貫通するスピンドル４を中心に２つの軸部６が折り曲がるように形成し、該ヒンジ部３をL字型に折り曲げた形状のドライバビットの実施図である。
【実施例２】
【００１１】
図７の実施例は、ドライバビットのヒンジ部３のスピンドルを折り曲げ時の抵抗力を調整することが可能なように、ネジ形状スピンドル５で形成したものである。
【産業上の利用可能性】
【００１２】
本発明のドライバービットの形状はＬ型に折り曲げることで短くて回転モーメントが大きいでき、今まで狭くてネジの締緩ができなかった個所でも、強い力でネジを締緩できる。また、両先端が２種の異なる形状であることから、２本のドライバの役目を１本のドライバービットで代用できるために、携行する場合に非常に有効である。
【符号の説明】
【００１３】
１  十字形先端
２  一字形先端
３  ヒンジ部
４  スピンドル
５  ネジ形状スピンドル
６  軸部
【図１】
2013128990.tif 000003
【図２】
2013128990.tif 000004
【図３】
2013128990.tif 000005
【図４】
2013128990.tif 000006
【図５】
2013128990.tif 000007
【図６】
2013128990.tif 000008
【図７】
2013128990.tif 000009
【図８】
2013128990.tif 000010
(57)【要約】【課題】毛髪の保護に、マッサージや育毛剤など、様様なケアの仕方があるが、どれも面倒で費用の嵩むものであった。本発明は、発毛を容易に促すことを目的とする。【解決手段】頭皮の薄毛部分の形に合わせたシリコン製の複数の突起を設けたシートに、スポンジクッションを乗せカバーにはゴム製のあごひもをつけ、頭皮に密着させる。【選択図】図１
2013128733.tif 000002
【特許請求の範囲】
【請求項１】
頭皮の薄毛部分の形に合わせた、シリコン製の複数の突起を設けたシートに、スポンジクッションを乗せ、カバーにはゴム製のあごひもをつけ、頭皮に密着させることを特徴とする発毛器具。
【発明の詳細な説明】
【技術分野】
【０００１】  本発明は、睡眠時において、発毛を促進する器具に関するものである。
【背景技術】
【０００２】  従来、薄毛になる頭頂部などには、日常、まったく刺激のない状態で過ごしている。
【発明の概要】
【発明が解決しようとする課題】
【０００３】  毛髪の保護に、マッサージや育毛剤など、様様なケアの仕方があるが、どれも面倒で費用の嵩むものであった。
本発明は、以上の問題を解決するためになされたものである。
【課題を解決するための手段】
【０００４】  頭皮の薄毛部分の形に合わせた、シリコン製の複数の突起を設けたシートに、スポンジクッションを乗せ、カバーにはゴム製のあごひもをつけ、頭皮に密着させる。
【発明の効果】
【０００５】  睡眠時に頭皮を刺激し続け、血行を促進し、育毛や発毛につながる。
【図面の簡単な説明】
【０００６】
【図１】本発明の側面図
【発明を実施するための形態】
【０００７】  以下、本発明の実施の形態を説明
突起の付いたシリコンパット（１）の上にスポンジクッション（２）を乗せ、プラスチックのカバー（４）で覆い頭皮に密着させ（３）あごひもを止める。
【符号の説明】
【０００８】  （１）シリコンパット  （２）スポンジクッション  （３）あごひも  （４）カバー
【図１】
2013128733.tif 000003
(57)【要約】【課題】寒い時期にひざかけを用いた場合、腹部や太ももの冷えは解消出来るが、ひざ下から足先は暖めることが出来ず、下半身全体の冷えの解消は出来なかった。本発明は下半身全体の冷えを解消するための湯タンポ入りひざかけを提供する。【解決手段】ひざかけの裾部分に湯タンポを挿入したクッションをファスナーで取り付けた湯タンポ入りひざかけ。【選択図】図３
2013128734.tif 000002
【特許請求の範囲】
【請求項１】
ひざかけ布地の裾に湯タンポを装着したクッションを設けた湯タンポ入りひざかけ。
【請求項２】
ひざかけと湯タンポ入りクッションが着脱できる請求項１の湯タンポ入りひざかけ。
【発明の詳細な説明】
【技術分野】
【０００１】  本発明は、湯たんぽを使って腹部、腰から足先までの広範囲を暖めて、下半身全体の冷えを防ぐひざかけに関するものである。
【背景技術】
【０００２】  下半身の冷えを防ぐために、ひざかけやカイロが使われている。
なお、ひざかけの裏にカイロを入れるポケットを取り付け腹部から太もも内側の冷えを解消するカイロ収納ポケットつきひざかけが知られている（特許文献１参照）
【先行技術文献】
【特許文献】
【０００３】
【特許文献１】  特開２００５−１７１４６８号広報
【発明の概要】
【発明が解決しようとする課題】
【０００４】  ひざかけや特許文献１は腹部から太もも内側の冷えを解消できるが、ひざ下から足先は暖めることが出来ず、下半身の冷えの解消は出来なかった。
本発明は、以上の問題点を解決するものである。
【課題を解決するための手段】
【０００５】  正方形の２枚の布地を３辺で縫い合わせ１辺は開閉できるようにファスナーを縫いつけ、袋状になった中に綿を２枚入れ、その綿の間に湯たんぽを入れて湯たんぽ入りクッションを作る。そのクッションの４辺端に沿ってひざかけの裾をファスナーで取り付けていき一方向で開くことが出来るようにして、布地が少し重なるようにする。
以上の構成よりなる湯タンポ入りひざかけ。
【発明の効果】
【０００６】  ひざかけは腹部から太ももの冷えを防ぐしか出来なかったが、本発明により腹部から太ももはもちろんのこと、足先まで暖めることが出来て下半身全体を冷えから防ぐことが出来る。
本発明は、湯タンポを使うことにより安全で経済的に下半身の冷えを防止する事が出来る。またひざかけと湯タンポ入りクッション部分をファスナーで繋げて着脱可能な為、ひざかけと湯タンポ入クッションを別々に使用する事も出来る。
【図面の簡単な説明】
【０００７】
【図１】本発明の正面図
【図２】湯タンポ入りクッション（２）の断面図
【図３】本発明の使用時の斜視図
【発明を実施するための形態】
【０００８】  以下、本発明の実施の形態を説明する。
（イ）正方形の２枚の布地の端を合わせて３辺は端を縫い、１辺は開閉出来るようにクッ    ションファスナー（４）で縫い合わせてクッション袋（５）を作る。
（ロ）クッション袋（５）の中に綿（６）を２枚詰めて、その綿（６）の間に湯タンポ（    ７）を挿入し、湯タンポ入クッション（２）を作る。
（ハ）湯タンポ入クッション（２）の４辺の縁に沿ってひざかけ接続ファスナー（３）を    取り付ける。
（ニ）ひざかけ布地（１）の裾にもひざかけ接続ファスナー（３）を取り付ける。
（ホ）ひざかけ布地（１）と湯タンポ入クッション（２）をひざかけ接続ファスナー（３    ）で繋ぐ。
（ヘ）ひざかけ布地（１）は一方向で開くことが出来るようにして、開く部分は少し布地    が重ねるようにする。
本発明は以上のような構造である。
本発明を使用するときは、湯タンポ（７）にお湯を入れ、湯タンポ入クッション（２）に挿入する。椅子に座った状態で使用し、筒状になっているひざかけ布地（１）の中に足を入れて、湯タンポ入クッション（２）の上に足を置く。
ひざかけ布地（１）を体の方に持ちあげて、腹部や腰付近まで掛ける。
【符号の説明】
【０００９】１  ひざかけ布地、２  湯タンポ入クッション、３  ひざかけ接続ファスナー
４  クッションファスナー、５  クッション袋、６  綿、７  湯タンポ
【図１】
2013128734.tif 000003
【図２】
2013128734.tif 000004
【図３】
2013128734.tif 000005
(57)【要約】【課題】  歯の間に詰まったものを取り除くときに使う爪楊枝で歯の裏側からも使えるように、いままでの爪楊枝の手元の方を曲げ突起部をつけた爪楊枝を提供する。【解決手段】  爪楊枝（１）の手元（２）の一部を約１８０度曲げた先端部（３）を設け、先端部（３）の先端は細くしたことを特徴とする爪楊枝。【選択図】図１
2013128735.tif 000002
【特許請求の範囲】
【請求項１】
爪楊枝（１）の手元（２）の一部を約１８０度曲げた先端部（３）を設け、先端部（３）の先端は細くしたことを特徴とする爪楊枝。
【発明の詳細な説明】
【技術分野】
【０００１】  本発明は、歯の間に詰まったものを取り除くときに使う爪楊枝で歯の裏側からも使えるように、いままでの爪楊枝の手元の方を曲げ突起部をつけた爪楊枝に関するものである。
【背景技術】
【０００２】  従来、爪楊枝の形状は棒状になっているものが多く一方に突起部がついていた。
たとえば、歯の間につまったものを取りのぞくときに使う爪楊枝で、爪楊枝の突起部で、歯茎を傷つけたり、突起部が歯の間に入り過ぎたりしないように、爪楊枝の一端の突起部を鍵の手に曲げて、歯の間に詰まったものを簡単に取りのぞくことができるようにした爪楊枝が提案されている。（特許文献１参照）
楊枝軸の先端部の箇所を湾曲にした楊枝の先端を曲げた爪楊枝が提案されている。（特許文献２参照）
【先行技術文献】
【特許文献】
【０００３】
【特許文献１】  特開２００１−２０４７４９号公報
【特許文献２】  実開平８−９８号公報
【発明の概要】
【発明が解決しようとする課題】
【０００４】  従来の爪楊枝は歯の表側より用いるもので、これだと爪楊枝の先端部の先が細くなっているので歯の裏側の隙間や入り口付近の掃除はむずかしかった。
また、歯ブラシでも掃除はむずかしかった。
本発明は以上のような問題点を解決するためになされたものである。
【課題を解決するための手段】
【０００５】  爪楊枝（１）の手元（２）の一部を約１８０度曲げた先端部（３）を設け、先端部（３）の先端は細くする。
本発明は以上のような構成よりなる爪楊枝である。
【発明の効果】
【０００６】  爪楊枝の曲げた先端部でいままで取り除けなかった歯の裏側の隙間や入り口付近をきれいにできる。
【図面の簡単な説明】
【０００７】
【図１】  本発明の正面図である。
【図２】  本発明の底面図である。
【発明を実施するための形態】
【０００８】  以下、本発明を実施するための形態を説明する。
爪楊枝（１）の手元（２）の一部を約１８０度曲げた先端部（３）を設け、先端部（３）の先端は細くする。
曲げ方は、直線形状でも曲線形状でも良い。
本発明は以上のような構造である。
本発明品を使用するときは、いままでの爪楊枝と同じに使えるし、歯の裏側からでも同じように使うことができる。
【符号の説明】
【０００９】  １  爪楊枝
２  手元
３  先端部
【図１】
2013128735.tif 000003
【図２】
2013128735.tif 000004
(57)【要約】【課題】高い脱水率を実現する洗濯機を提供すること。【解決手段】筐体１の内部に配設された外槽２と、外槽２の内側に水平方向または水平方向から少し傾斜した回転軸６によって回転可能な状態で配設されるドラム３と、アルカリ水を生成する電解水生成手段と４、ドラム３を回転駆動させるモータ７（駆動手段）と、アルカリ水を外槽２の内部に注水する電解水供給手段５とを供え、最終すすぎ工程時に、電解水供給手段５によりアルカリ水が外槽２の内部に注水され、モータ７（駆動手段）によりドラム３を駆動させて脱水工程を行う。アルカリ水の表面張力が水道水に比べて低いことから、従来通りの脱水回転数と脱水時間で、より高い脱水率が実現する。【選択図】図１
2013102918.tif 000002
【特許請求の範囲】
【請求項１】
筐体の内部に配設された外槽と、
前記外槽の内側に水平方向または水平方向から少し傾斜した回転軸によって回転可能な状態で配設されるドラムと、
アルカリ水を生成する電解水生成手段と、
前記ドラムを回転駆動させる駆動手段と、
前記アルカリ水を前記外槽の内部に注水する電解水供給手段とを供え、
最終すすぎ工程時に、前記電解水供給手段により前記アルカリ水が前記外槽の内部に注水され、前記駆動手段により前記ドラムを駆動させて脱水工程を行う洗濯機。
【発明の詳細な説明】
【技術分野】
【０００１】
本発明は、表面張力の低いアルカリ電解水を衣類に保持させることにより脱水率の向上を実現する洗濯機に関するものである。
【背景技術】
【０００２】
従来の洗濯機は、脱水率を上げる手段として、布質検知手段を併用して脱水回転数を徐々に高めていく技術や（たとえば、特許文献１参照）、衣類乾燥手段を併用する技術（たとえば、特許文献２参照）などが知られている。
【先行技術文献】
【特許文献】
【０００３】
【特許文献１】特開平８−６６５７５号公報
【特許文献２】特開平７−３２３１９５号公報
【発明の概要】
【発明が解決しようとする課題】
【０００４】
しかしながら特許文献１に記載の構成では、洗濯機の振動が大きくなるという課題を有していた。また、特許文献２に記載の構成では、脱水工程の時間が長くなるという課題を有していた。
【０００５】
本発明は、前記従来の課題を解決するもので、脱水回転数を従来以上に高める必要が無く、また脱水工程の時間も従来通りで、高い脱水率を実現する洗濯機を提供することを目的とする。
【課題を解決するための手段】
【０００６】
上記課題を解決するため、本発明の洗濯機は、筐体の内部に配設された外槽と、前記外槽の内側に水平方向または水平方向から少し傾斜した回転軸によって回転可能な状態で配設されるドラムと、アルカリ水を生成する電解水生成手段と、前記ドラムを回転駆動させる駆動手段と、前記アルカリ水を前記外槽の内部に注水する電解水供給手段とを供え、最終すすぎ工程時に、前記電解水供給手段により前記アルカリ水が前記外槽の内部に注水され、前記駆動手段により前記ドラムを駆動させて脱水工程を行うものである。
【０００７】
これによって、脱水回転数を従来以上に高める必要が無く、また脱水工程の時間も従来通りで、高い脱水率を実現する洗濯機を提供することができる。
【発明の効果】
【０００８】
本発明の洗濯機は、電解水生成手段によって生成されるアルカリ水を衣類に含浸させた状態で脱水工程を行うので、アルカリ水の表面張力が水道水に比べて低いことから、従来通りの脱水回転数と脱水時間で、より高い脱水率が実現することとなる。
【図面の簡単な説明】
【０００９】
【図１】本発明の実施の形態１における洗濯機の概略断面図
【発明を実施するための形態】
【００１０】
（実施の形態１）
以下、本発明の実施の形態１について図面を用いて説明する。
【００１１】
図１は、本発明の実施の形態１における洗濯機の概略断面図である。図１において、洗濯機の筐体１は、内部に外槽２が配設されている。さらに、外槽２の内側に洗濯槽としてのドラム３が水平方向または水平方向から少し傾斜した回転軸６によって回転可能な状態で配設されている。ドラム３は背面に駆動手段としてのモータ７が接続されてモータ７の回転によりドラム３が回転する。また、ドラム３は外周面に複数の通水孔８が設けられており、洗濯槽の他に脱水槽や乾燥槽としても機能するものである。
【００１２】
筐体１の内部に設けた電解水生成装置４は、少なくともその内部に陽極と陰極（図示せず）を備えている。陽極と陰極は、水道水や食塩水などのイオン成分を含んだ水と隔膜を挟んで対向しており、陽極と陰極間に電源装置によって電圧を印加することによりアルカリ水を生成することが出来る。生成されたアルカリ水は電解水供給手段５から外槽２の内部に注水され、すすぎ水がアルカリ性となる。
【００１３】
次に、本実施の形態の洗濯機の動作について説明する。
【００１４】
洗濯工程は洗い工程、すすぎ工程、脱水工程の順序で制御装置９によって行われる。すすぎ工程は通常２回または３回、繰返し行われる。最終のすすぎ工程（２回の場合は２回目）での外槽２への水道水の給水時に電解水生成装置４がアルカリ水を生成し、かつ電解水供給手段５からアルカリ水が外槽２の内部へ注水される。
【００１５】
最終すすぎ工程では、洗い工程に投入した洗剤は希釈されて濃度が下がっているので、アルカリ水を注水しない場合はｐＨは約８から９であり、またすすぎ水の表面張力も水道水の表面張力とほぼ同じ（７２ｄｙｎ／ｃｍ）である。
【００１６】
電解水生成装置４から生成されるアルカリ水のｐＨは約１１であり、表面張力は６８ｄｙｎ／ｃｍであった。最終すすぎ工程でこのアルカリ水を電解水供給手段５から注水すると、すすぎ水のｐＨは９．５となり、表面張力は７０ｄｙｎ／ｃｍであった。
【００１７】
最終すすぎ工程後に脱水工程を行い、衣類の脱水率を測定したところ６４％であった。なお、最終すすぎ工程時にアルカリ水を注水せず水道水ですすぎを行った場合は、脱水工程後の脱水率は６２％であり、アルカリ水の注水による脱水率向上が実現した。
【００１８】
以上のように、最終すすぎ工程においてすすぎ水をアルカリ性とすることにより、アルカリ水の表面張力が水道水に比べて低いことから、従来通りの脱水回転数と脱水時間で、より高い脱水率を実現することができる。
【産業上の利用可能性】
【００１９】
以上のように、本発明の洗濯機は、表面張力の低いアルカリ水を衣類に含浸させた状態で脱水工程を行うことで脱水率を高めることが出来るので、綿繊維などの製造工程中の最終工程である生地の洗い工程に使用される洗浄装置などの工業用途にも適用できる。
【符号の説明】
【００２０】
１  筐体
２  外槽
３  ドラム
４  電解水生成装置
５  電解水供給手段
６  回転軸
７  モータ（駆動手段）
８  通水孔
９  制御装置
【図１】
2013102918.tif 000003